(57)【要約】      （修正有）【課題】簡易な構成でフィルタの中心周波数のズレに対応してフィルタに入力される信号の周波数を適切に調整できる周波数調整装置を提供する。【解決手段】調整装置（１０）は、フィルタに基準周波数より高い第１周波数の信号と、基準周波数より低い第２周波数の信号とを順次入力させる処理と、それぞれの信号がフィルタ通過後の信号強度の差分を算出する処理とを処理単位とし、フィルタに入力される信号の周波数を変更する調整値を所定値ずつ変更する毎に処理単位を繰り返す調整部（１５）と、基準値以下の差分となる調整値を用いて調整を行う最終調整値決定部（１４）と、を備える。【選択図】図２
2019054462.tif 000002
【特許請求の範囲】
【請求項１】
フィルタに入力する信号の周波数を該フィルタの中心周波数のズレに対応させて調整する周波数調整装置であって、
上記フィルタに基準周波数より高い第１周波数の信号と、上記基準周波数より低い第２周波数の信号とを順次入力させる処理と、上記第１周波数の信号が上記フィルタを通過した後の信号強度と、上記第２周波数の信号が上記フィルタを通過した後の信号強度との差分を算出する処理とを処理単位として、上記フィルタに入力される信号の周波数を変更する調整値を所定値ずつ変更する毎に上記処理単位を繰り返し実行する調整実行部と、
基準値以下の上記差分が算出されたときの上記調整値を用いて上記調整を行う周波数調整部と、を備えることを特徴とする周波数調整装置。
【請求項２】
上記周波数調整部は、基準値以下の上記差分が算出されたときの上記調整値が複数存在する場合、当該複数の調整値のうちの中央値を用いて上記調整を行うことを特徴とする請求項１に記載の周波数調整装置。
【請求項３】
上記調整実行部は、上記基準周波数が、上記フィルタに入力される信号の基となる調整信号を、該調整信号の周波数のチャンネルを周波数変換するための周波数で周波数変換した周波数である場合、
上記調整信号を、該調整信号の周波数の１つ後のチャンネルを周波数変換するための周波数で周波数変換した周波数を上記第１周波数とし、
上記調整信号を、該調整信号の周波数の１つ前のチャンネルを周波数変換するための周波数で周波数変換した周波数を上記第２周波数とする、ことを特徴とする請求項１または２に記載の周波数調整装置。
【請求項４】
上記調整実行部は、
（１）上記調整値を初期値から上記所定値ずつ増加させる毎に上記差分が大きくなるときは、上記調整値を初期値から上記所定値ずつ減少させる、または、
（２）上記調整値を初期値から上記所定値ずつ減少させる毎に上記差分が大きくなるときは、上記調整値を初期値から上記所定値ずつ増加させることを特徴とする請求項１〜３のいずれか１項に記載の周波数調整装置。
【請求項５】
上記調整実行部は、上記第１周波数の信号が上記フィルタを通過した後の信号と、上記第２周波数の信号が上記フィルタを通過した後の信号とのうち、強度が大きい方の信号の周波数側に上記フィルタに入力される信号の周波数がシフトするように上記調整値を所定値ずつ変更することを特徴とする請求項１〜３のいずれか１項に記載の周波数調整装置。
【請求項６】
請求項１〜５のいずれか１項に記載の上記周波数調整装置を含む無線機器。
【請求項７】
フィルタに入力する信号の周波数を該フィルタの中心周波数のズレに対応させて調整する周波数調整方法であって、
上記フィルタに基準周波数より高い第１周波数の信号と、上記基準周波数より低い第２周波数の信号とを順次入力させる処理と、上記第１周波数の信号が上記フィルタを通過した後の信号強度と、上記第２周波数の信号が上記フィルタを通過した後の信号強度との差分を算出する処理とを処理単位として、上記フィルタに入力される信号の周波数を変更する調整値を所定値ずつ変更する毎に上記処理単位を繰り返し実行する調整実行ステップと、
基準値以下の上記差分が算出されたときの上記調整値を用いて上記調整を行う周波数調整ステップと、を含むことを特徴とする周波数調整方法。
【発明の詳細な説明】
【技術分野】
【０００１】
本発明は、フィルタの中心周波数のズレに対応してフィルタに入力される信号の周波数を調整する周波数調整装置、周波数調整方法、および、該周波数調整装置を含む無線機器に関する。
【背景技術】
【０００２】
スーパーヘテロダイン受信装置では、アンテナを介して受信した入力信号を高周波回路で増幅し、この増幅された信号に局部発振器で発生させた所定周波数の信号を周波数混合器にて混合して中間周波信号に変換する。そして、中間周波信号を中間周波回路で増幅した後、復調回路で復調し、スピーカなどから音声を出力している。
【０００３】
中間周波回路には、増幅回路の他に、所望する中間周波信号を通過させるためのＩＦフィルタなどが設けられている。ＩＦフィルタは、個々の部品としての個体差や温度特性の影響により、その特性（例えば、中心周波数）が変動する。そのため、周波数混合器により生成される中間周波信号がＩＦフィルタの中心を通過するように、局部発振器の発振周波数を調整（キャリブレーション）する必要がある。キャリブレーションを適切に行うためには、ＩＦフィルタの特性、特に中心周波数を把握しておく必要がある。
【０００４】
そこで、例えば、特許文献１には、フィルタの中心周波数からの周波数ずれを計測し、局部信号発生器の周波数に周波数ずれに対応した偏差を与えることにより、フィルタの周波数ずれを補正する無線受信機が記載されている。
【０００５】
また、特許文献２には、測定周波数を異ならせた測定信号をフィルタに通過させ、通過した測定信号の強度を測定してピーク値を求めることによりフィルタの中心周波数を特定する方法が記載されている。
【先行技術文献】
【特許文献】
【０００６】
【特許文献１】特開平９−２４７０３０号公報（１９９７年９月１９日公開）
【特許文献２】特開２０１６−１２２９０３号公報（２０１６年７月７日公開）
【発明の概要】
【発明が解決しようとする課題】
【０００７】
確かに、上述した従来技術であっても、所望の中心周波数に対するフィルタの中心周波数のズレを調整することはできる。しかし、上述の従来技術は、処理時間、処理工程といった点で改善の余地がある。
【０００８】
例えば、特許文献１に記載の技術では、フィルタの中心周波数を求める場合、以下の処理を行う必要がある。まず、入力を周波数シンセサイザに切り替え、所定周波数で基準レベルの連続波をミキサで周波数変換し、フィルタを介して復調した信号のレベルを検出する。次に、基準レベルより３ｄＢ高いレベルの信号を周波数±４ｋＨｚで掃引出力し、フィルタを経由した掃引各周波数でのレベルを比較する。そして、基準レベル０ｄＢｍの検出レベルと等しくなる周波数を求め、これらの周波数の中間値をフィルタの中心周波数とする。このように、特許文献１に記載の技術では、処理工程が多数にわたってしまう。
【０００９】
また、個々の部品としての個体差のないデジタルフィルタを用いる場合、消費電力が大幅に増加するという問題が生じる。
【００１０】
本発明の一態様は、上記の問題に鑑みてなされたものであり、従来技術から大幅な回路変更等を行うことなく、簡易な構成でフィルタの中心周波数のズレに対応してフィルタに入力される信号の周波数を適切に調整できる周波数調整装置等を実現することを目的とする。
【課題を解決するための手段】
【００１１】
上記の課題を解決するために、本発明の一態様に係る周波数調整装置は、フィルタに入力する信号の周波数を該フィルタの中心周波数のズレに対応させて調整する周波数調整装置であって、上記フィルタに基準周波数より高い第１周波数の信号と、上記基準周波数より低い第２周波数の信号とを順次入力させる処理と、上記第１周波数の信号が上記フィルタを通過した後の信号強度と、上記第２周波数の信号が上記フィルタを通過した後の信号強度との差分を算出する処理とを処理単位として、上記フィルタに入力される信号の周波数を変更する調整値を所定値ずつ変更する毎に上記処理単位を繰り返し実行する調整実行部と、基準値以下の上記差分が算出されたときの上記調整値を用いて上記調整を行う周波数調整部と、を備えることを特徴としている。
【００１２】
上記の構成によれば、基準周波数を挟む前後の周波数が入力されたときのフィルタ通過後の信号の強度の差分を用いてフィルタの中心周波数のズレに対応してフィルタに入力される信号の周波数を調整する。フィルタ通過後の強度の差分は、フィルタに入力されるそれぞれの信号の周波数とフィルタの中心周波数との差が小さくなるほど小さくなる。よって、信号強度の差分を用いることにより適切にフィルタの中心周波数のズレに対応してフィルタに入力される信号の周波数を調整することができる。したがって、中心周波数の偏差が大きいフィルタであっても適切に性能を発揮させることができる。また、基準周波数より高い周波数の信号と低い周波数の信号の信号強度の差分を算出するのみであるため、従来技術から大幅な回路変更を行うことなく簡易な構成で実現できるとともに、短時間で中心周波数のズレに対応してフィルタに入力される信号の周波数を調整することができる。
【００１３】
本発明の一態様に係る周波数調整装置では、上記周波数調整部は、基準値以下の上記差分が算出されたときの上記調整値が複数存在する場合、当該複数の調整値のうちの中央値を用いて上記調整を行うもであってもよい。
【００１４】
上記の構成によれば、基準値以下の差分となる調整値のうちの中央値を用いて中心周波数のズレに対応してフィルタに入力される信号の周波数を調整する。上述したように、フィルタ通過後の信号強度の差分は、フィルタに入力されるそれぞれの信号の周波数とフィルタの中心周波数との差が小さくなるほど小さくなるので、中央値を用いて中心周波数のズレに対応してフィルタに入力される信号の周波数を調整することにより、適切に中心周波数のズレを調整することができる。
【００１５】
本発明の一態様に係る周波数調整装置では、上記調整実行部は、上記基準周波数が、上記フィルタに入力される信号の基となる調整信号を、該調整信号の周波数のチャンネルを周波数変換するための周波数で周波数変換した周波数である場合、上記調整信号を、該調整信号の周波数の１つ後のチャンネルを周波数変換するための周波数で周波数変換した周波数を上記第１周波数とし、上記調整信号を、該調整信号の周波数の１つ前のチャンネルを周波数変換するための周波数で周波数変換した周波数を上記第２周波数とする、ものであってもよい。
【００１６】
上記の構成によれば、第１周波数と第２周波数とを容易に設定することができる。
【００１７】
本発明の一態様に係る周波数調整装置では、上記調整実行部は、（１）上記調整値を初期値から上記所定値ずつ増加させる毎に上記差分が大きくなるときは、上記調整値を初期値から上記所定値ずつ減少させる、または、（２）上記調整値を初期値から上記所定値ずつ減少させる毎に上記差分が大きくなるときは、上記調整値を初期値から上記所定値ずつ増加させるものであってもよい。
【００１８】
上記の構成によれば、調整値の増減方向が適切でない場合に、増減方向を適切なものに正すことができる。これにより、適切にフィルタの中心周波数のズレを調整することができる。
【００１９】
本発明の一態様に係る周波数調整装置では、上記調整実行部は、上記第１周波数の信号が上記フィルタを通過した後の信号と、上記第２周波数の信号が上記フィルタを通過した後の信号とのうち、強度が大きい方の信号の周波数側に上記フィルタに入力される信号の周波数がシフトするように上記基準周波数を所定値ずつ変更するものであってもよい。
【００２０】
上記の構成によれば、調整値の増減方向を一意に決定することができる。これにより、フィルタの中心周波数のズレを速やかに調整することができる。
【００２１】
上記課題を解決するために、本発明の一態様に係る無線機器は上記周波数調整装置を含む構成である。これにより、上述した効果と同様の効果を奏する。
【００２２】
上記課題を解決するために、本発明の一態様に係る周波数調整方法は、フィルタに入力する信号の周波数を該フィルタの中心周波数のズレに対応させて調整する周波数調整方法であって、上記フィルタに基準周波数より高い第１周波数の信号と、上記基準周波数より低い第２周波数の信号とを順次入力させる処理と、上記第１周波数の信号が上記フィルタを通過した後の信号強度と、上記第２周波数の信号が上記フィルタを通過した後の信号強度との差分を算出する処理とを処理単位として、上記フィルタに入力される信号の周波数を変更する調整値を所定値ずつ変更する毎に上記処理単位を繰り返し実行する調整実行ステップと、基準値以下の上記差分が算出されたときの上記調整値を用いて上記調整を行う周波数調整ステップと、を含むことを特徴としている。
【００２３】
上記の方法によれば、上述した効果を同様の効果を奏する。
【００２４】
本発明の各態様に係る周波数調整装置は、コンピュータによって実現してもよく、この場合には、コンピュータを上記周波数調整装置が備える各部（ソフトウェア要素）として動作させることにより上記周波数調整装置をコンピュータにて実現させる周波数調整装置の制御プログラム、およびそれを記録したコンピュータ読み取り可能な記録媒体も、本発明の範疇に入る。
【発明の効果】
【００２５】
本発明の一態様によれば、ＲＳＳＩ電圧の強度の差分を用いることによりフィルタの中心周波数のズレに対応してフィルタに入力される信号の周波数を適切に調整することができるという効果を奏する。したがって、中心周波数の偏差が大きいフィルタであっても適切に性能を発揮させることができるという効果を奏する。
【００２６】
また、基準周波数の前後のチャンネルの信号強度の差分を算出するのみであるため、従来技術から大幅な回路変更を行うことなく簡易な構成で実現できるとともに、短時間で中心周波数のズレに対応してフィルタに入力される信号の周波数を調整することができるという効果を奏する。
【図面の簡単な説明】
【００２７】
【図１】本発明の実施形態に係る無線機器の要部構成を示すブロック図である。
【図２】上記無線機器が備える調整装置の要部構成を示すブロック図である。
【図３】ＩＦフィルタの中心周波数のズレを第２局部発振器が発振する第２局部信号を調整して吸収できる理由を説明するための図である。
【図４】ＩＦフィルタの中心周波数のズレを第２局部発振器が発振する第２局部信号を調整して吸収できる理由を説明するための図である。
【図５】上記調整装置における処理の流れを示すフローチャートである。
【図６】上記調整装置が用いる調整値を増減させる様子について説明するための図である。
【発明を実施するための形態】
【００２８】
〔実施形態〕
〔概要〕
以下、本発明の一実施形態について説明する。本実施形態では、ダブルスーパーヘテロダイン方式の無線機器を例に挙げて説明するが、これに限られるものではない。まず、図１を参照して本実施形態に係る無線機器１の概要について説明する。図１は、無線機器１の要部構成を示すブロック図である。なお、図１に示す機能ブロック図では、無線機器１の機能のうち、本発明と関係しない機能を示すブロックについては省略している。
【００２９】
図１に示すように、無線機器１は、調整装置（周波数調整装置）１０、第１局部発振器２０、第２局部発振器３０、周波数逓倍器４０、混合器５１、ＩＦフィルタ５２（1st IFフィルタ）、増幅器５３、混合器５４、ＩＦフィルタ５５（2nd IFフィルタ）、増幅器５６、増幅器５７、ＡＭ検波回路５８、およびＦＭ検波回路５９を含む。
【００３０】
そして、図１に示すように、無線機器１では、以下に詳述する周波数調整処理において、シグナルジェネレータ（不図示）から入力信号として調整信号が混合器５１に入力される。混合器５１は、調整信号と第１局部発振器２０にて生成された第１局部信号と混合し、調整信号の周波数を変換してＩＦフィルタ５２に出力する。第１局部発振器２０および第２局部発振器３０は調整装置１０から出力された制御電圧に応じた周波数の局部信号を生成し、発振する。例えば、第１局部発振器２０は、受信周波数＋４６．３５ＭＨｚの周波数の信号を発振する。また、第２局部発振器３０は、後述する「調整値」に基づく周波数の信号を発振する。なお、上述通り、本実施形態では周波数調整処理を実行するときに無線機器１に入力される信号のことを調整信号と呼ぶ。また、第１局部発振器２０が生成する局部信号を「第１局部信号」と呼び、第２局部発振器３０が生成する局部信号を「第２局部信号」と呼ぶ。
【００３１】
ＩＦフィルタ５２は、帯域制限フィルタである。ＩＦフィルタ５２の例としては、水晶フィルタ（ＸＴＡＬフィルタ）が挙げられる。また、ＩＦフィルタ５２の中心周波数の例は、４６．３５ＭＨｚである。
【００３２】
ＩＦフィルタ５２を通過した信号は、増幅器５３で増幅され混合器５４に入力される。混合器５４は、増幅器５３を通過した信号と第２局部発振器３０にて生成された第２局部信号を周波数逓倍器４０にて逓倍した信号とを混合し、入力された信号を周波数変換してＩＦフィルタ５５に出力する。ＩＦフィルタ５５は、帯域制限フィルタである。ＩＦフィルタ５５の例としては、セラミックフィルタが挙げられる。また、ＩＦフィルタ５５の理想的な中心周波数の例は、０．４５０ＭＨｚである。セラミックフィルタは、中心周波数（特性）のばらつきが大きいため、無線機器１の受信選択度が低下してしまう。本実施形態の構成により中心周波数のズレを第２局部発振器３０が発振する第２局部信号を調整して吸収することで、無線機器１の受信選択度の低下を防止することができる。
【００３３】
ＩＦフィルタ５５を通過した信号は、増幅器５６および増幅器５７にそれぞれ入力され、復調可能なレベルまで増幅された後、ＡＭ検波回路５８またはＦＭ検波回路５９に入力される。ＡＭ検波回路５８およびＦＭ検波回路５９では、それぞれ入力された信号を復調する。
【００３４】
また、増幅器５７を通過した信号のＲＳＳＩ（Received Signal Strength Indication：受信信号強度）が調整装置１０に入力される。
【００３５】
調整装置１０は、第１局部発振器２０が発振する第１局部信号の周波数を調整する制御電圧を第１局部発振器２０に出力する。第１局部信号の周波数を調整することにより、調整信号が入力されたときの周波数とは異なる周波数（チャンネル）を受信するための周波数に変更することができる。
【００３６】
また、調整装置１０は、取得したＲＳＳＩを用いて第２局部発振器３０が発振する第２局部信号の周波数を調整する調整値（制御電圧）を決定し、決定した調整値に対応する制御電圧（2nd Lo Control (2LOC)）を第２局部発振器３０に出力する。第２局部信号の周波数を調整することにより、混合器５４から出力される信号（つまり、ＩＦフィルタ５５に入力される信号）の周波数が変更される。よって、調整値は、ＩＦフィルタ５５に入力される信号の周波数を変更するものである。これにより、調整装置１０は、ＩＦフィルタ５５の中心周波数のズレを第２局部発振器３０が発振する第２局部信号を調整して吸収するための周波数調整処理を行う。周波数調整処理の詳細については後述する。
【００３７】
〔調整装置１０の構成〕
次に、図２を参照して、調整装置１０について説明する。図２は、調整装置１０の要部構成を示すブロック図である。図２に示すように、調整装置１０は、ＲＳＳＩ取得部１１、電圧差判定部１２、調整値格納部１３、最終調整値決定部（周波数調整部）１４、調整部（調整実行部）１５、および記憶部１６を含む。
【００３８】
ＲＳＳＩ取得部１１は、増幅器５７から出力された信号のＲＳＳＩ電圧を取得する。そして、取得したＲＳＳＩ電圧を電圧差判定部１２に出力する。ＲＳＳＩ取得部１１は、後述する第１局部発振器調整部１５２により制御電圧が出力されてから所定時間（例えば数十ｍｓ）が経過した後に、所定回数（例えば数回〜数十回）、ＲＳＳＩ電圧を取得し、それらの平均値を電圧差判定部１２に出力する。
【００３９】
電圧差判定部１２は、後述する第１周波数の信号および第２周波数の信号がＩＦフィルタ５５を通過し、増幅器５７で増幅されたＲＳＳＩ電圧の電圧差が基準値（例えば数百ｍＶ）以下であるか否かを判定する。そして、基準値以下である場合、その旨を調整値格納部１３に通知する。
【００４０】
調整値格納部１３は、上述した電圧差が基準値以下であることを電圧差判定部１２から通知された場合、そのときの調整値を記憶部１６に記憶させる。
【００４１】
最終調整値決定部１４は、記憶部１６に記憶されている調整値のうちの中央の値を最終調整値と決定し、調整部１５に通知する。
【００４２】
調整部１５は、周波数調整処理において、第１局部信号の周波数を切り替えるための制御信号を第１局部発振器２０に出力し、第２局部信号を調整するための調整値に対応した制御電圧を第２局部発振器３０に出力する。また、調整部１５は、最終調整値決定部１４が決定した調整値に基づいて第２局部発振器３０が発振する第２局部信号を調整する。調整部１５は、第２局部発振器調整部１５１、および第１局部発振器調整部１５２を含む。
【００４３】
第２局部発振器調整部１５１は、第２局部発振器３０が発振する第２局部信号の周波数を決定する制御電圧を第２局部発振器３０に出力する。また、ＩＦフィルタ５５の中心周波数のズレを吸収するための第２局部信号を調整する処理を行う場合、第２局部発振器調整部１５１は、調整値の初期値を決定し、決定した初期値に対応する制御電圧を第２局部発振器３０に出力する。
【００４４】
そして、第２局部発振器調整部１５１は、調整値を、初期値から所定の値ずつ（例えば、１０進数で１０ずつ）変更して、変更した調整値に対応する制御電圧を出力する。
【００４５】
第１局部発振器調整部１５２は、周波数調整処理を行う場合、無線機器１に入力された調整信号の周波数より高い周波数である１つ後のチャンネル、および、当該周波数より低い周波数である１つ前のチャンネルを受信するときに、第１局部発振器２０が発振する第１局部信号の周波数となる制御電圧を出力する。なお、第１周波数とは、調整信号の周波数より１つ後のチャンネルを受信するときに第１局部発振器が発振する第１局部信号と調整信号とを混合器５１で混合したときにＩＦフィルタ５５に入力される信号の周波数のことである。つまり、第１周波数とは、調整信号を、調整信号の周波数の１つ後のチャンネルを周波数変換するための周波数で周波数変換した周波数である。
【００４６】
また、第２周波数とは、調整信号の周波数より１つ前のチャンネルを受信するときに第１局部発振器が発振する第１局部信号と調整信号とを混合器５１で混合したときにＩＦフィルタ５５に入力される信号の周波数のことである。つまり、第２周波数とは、上記調整信号を、該調整信号の周波数の１つ前のチャンネルを周波数変換するための周波数で周波数変換した周波数である。
【００４７】
次に、本実施形態における信号の周波数例について説明する。例えば、シグナルジェネレータから周波数が１２７．５１０ＭＨｚ、＋６０ｄＢμ以上の強度の無変調の調整信号が入力され、１つ前のチャンネルの周波数を１２７．５０５ＭＨｚ、１つ後のチャンネルの周波数を１２７．５１５ＭＨｚとした場合、各部から発振または出力される信号の周波数は以下の通りとなる。
【００４８】
第１局部発振器２０から発振される信号の周波数は、受信周波数＋４６．３５ＭＨｚなので、受信周波数１２７．５１０ＭＨｚの信号を受信する場合、１２７．５１０＋４６．３５＝１７６．８６０ＭＨｚとなる。また、１つ前のチャンネルの場合、１２７．５０５＋４６．３５＝１７３．８５５ＭＨｚとなり、１つ後のチャンネルの場合、１２７．５１５＋４６．３５＝１７３．８６５ＭＨｚとなる。
【００４９】
混合器５１の出力は、１つ前のチャンネルの場合、１７３．８５５−１２７．５１０＝４６．３４５ＭＨｚとなり、１つ後のチャンネルの場合、１７３．８６５−１２７．５１０＝４６．３５５ＭＨｚとなる。なお、これらの信号は、ＩＦフィルタ５２の通過帯域内であるので、この周波数の信号が混合器５４に入力されることになる。
【００５０】
調整値が０ｘ８２のときの第２局部発振器３０から発振される信号の周波数が、１５．３ＭＨｚの場合、周波数逓倍器４０により３倍されて、混合器５４には、１５．３×３＝４５．９ＭＨｚの信号が入力される。
【００５１】
よって、混合器５４の出力は、１つ前のチャンネルの場合、４６．３４５−４５．９＝０．４４５ＭＨｚとなり、１つ後のチャンネルの場合、４６．３５５−４５．９＝０．４５５ＭＨｚとなる。
【００５２】
なお、上述した数値は一例であり、これに限られるものではない。
【００５３】
以上のように、調整装置１０は、周波数調整処理を行う場合、第１周波数の信号および第２周波数の信号が、ＩＦフィルタ５５を通過した後の信号のＲＳＳＩ電圧の差分（電圧差）が基準値以下となる調整値に基づいてＩＦフィルタ５５の中心周波数のズレを第２局部発振器３０が発振する第２局部信号を調整して吸収する。これにより、フィルタの中心周波数のズレに対応してフィルタに入力される信号の周波数を適切に調整することができる。
【００５４】
調整装置１０は、ＩＦフィルタ５５に入力する信号の周波数をＩＦフィルタ５５の中心周波数のズレに対応させて調整する装置であって、ＩＦフィルタ５５に基準周波数より高い周波数（第１周波数）である信号と、基準周波数より低い周波数（第２周波数）である信号とを順次入力させる処理と、上記第１周波数の信号がＩＦフィルタ５５を通過した後のＲＳＳＩ電圧（信号強度）と、上記第２周波数の信号がＩＦフィルタ５５を通過した後のＲＳＳＩ電圧（信号強度）との差分を算出する処理とを処理単位として、ＩＦフィルタ５５に入力される信号の周波数を変更する調整値を所定値（例えば、１０進数で１０）ずつ変更する毎に上記処理単位を繰り返し実行する調整実行部（調整部１５）と、基準値以下の上記差分が算出されたときの上記調整値を用いて上記調整を行う周波数調整部（最終調整値決定部１４）と、を備えている。
【００５５】
なお、基準周波数とは、調整信号の周波数のチャンネルを無線機器１が受信するときに、ＩＦフィルタ５５に入力される信号の周波数のことである。
【００５６】
上記の構成により、ＩＦフィルタ５５の中心周波数のズレを第２局部発振器３０が発振する第２局部信号を調整して吸収できる理由について、図３および図４を参照して説明する。図３および図４は、本実施形態の構成により、ＩＦフィルタ５５の中心周波数のズレを第２局部発振器３０が発振する第２局部信号を調整して吸収できる理由を説明するための図である。
【００５７】
図３および図４は、ＩＦフィルタ５５のフィルタ特性と、ＩＦフィルタ５５を通過した後の第１周波数の信号および第２の周波数の信号の信号強度とを示しており、横軸が周波数、縦軸が信号強度を示している。図３の（ａ）は、調整値が初期値の「０ｘ８２」のとき、ＩＦフィルタ５５の中心周波数にズレがない場合を示している。このとき、ＩＦフィルタ５５の中心周波数は０．４５０ＭＨｚであり、ＩＦフィルタ５５を通過した後の第１周波数の信号および第２の周波数の信号の信号強度の差はない。図３の（ｂ）は、ＩＦフィルタ５５の中心周波数にズレがある場合を示しており、中心周波数にズレがない場合のフィルタ特性を破線で示し、中心周波数にズレがある場合のフィルタ特性を実線で示す。図３の（ｂ）に示すように、中心周波数にズレがある場合、ＩＦフィルタ５５を通過した後の第１周波数の信号および第２の周波数の信号の信号強度には差があることが分かる。この信号強度の差が基準値以上である場合、調整値を増減し、信号強度の差が基準値以下となるように調整する。ちなみに、図３の（ｂ）では、第２周波数の信号は、ＩＦフィルタ５５で十分に減衰されるが、第１周波数の信号は、あまり減衰されていない。このことが受信選択度を低下させる原因となる。
【００５８】
図４の（ａ）〜（ｃ）に、ＩＦフィルタ５５の中心周波数にズレがある場合の調整の様子を示す。図４の（ａ）は、調整値が初期値の「０ｘ８２」、図４の（ｂ）は、調整値が「０ｘ７８」、図４の（ｃ）は、調整値が「０ｘ６Ｅ」の場合を示している。本実施形態では、ＩＦフィルタ５５を通過した後の第１周波数の信号および第２周波数の信号の信号強度の差を、Ｄｎ（ｎ＝１、２、３・・・ｎ）とし、調整値を増減することで信号強度の差Ｄｎが基準値以下になるように調整する。
【００５９】
例えば、図４の（ａ）に示すように、調整値が「０ｘ８２」のときのＩＦフィルタ５５を通過した後の第１周波数の信号および第２の周波数の信号の信号強度の差であるＤ１が基準値以上である場合、調整値を増減する。ここでは「０ｘ８２」から「０ｘ７８」に減らすこととする。図４の（ｂ）は調整値を「０ｘ７８」に減らしたときの状態を示す。図４の（ｂ）では、調整値「０ｘ８２」のときの第１周波数の信号と第２周波数の信号を破線で示し、調整値「０ｘ７８」のときを実線で示している。ＩＦフィルタ５５に入力される第１周波数の信号および第２周波数の信号は、図４の（ａ）と比較して高い方にシフトしていることが分かる。このときの信号強度の差をＤ２とする。図４の（ａ）および（ｂ）からＤ１＞Ｄ２であることが分かる。ここでＤ２が基準値以下でなければ、さらに調整値を「０ｘ６Ｅ」に減らす。図４の（ｃ）は、調整値が「０ｘ６Ｅ」の場合を示している。図４の（ａ）〜（ｃ）よりＤ１＞Ｄ２＞Ｄ３であることが分かる。
【００６０】
以上のように、ＩＦフィルタ５５の中心周波数が理想とする中心周波数からズレている場合、上述のように調整値を調整することにより第２局部信号の周波数を調整し、ＩＦフィルタ５５を通過させる信号の周波数を、中心周波数がズレたＩＦフィルタ５５の中心周波数に近づけるようにすることで、ＩＦフィルタ５５の中心周波数のズレを吸収することができる。
【００６１】
〔処理の流れ〕
次に、図５を参照して、無線機器１における処理の流れを説明する。図５は、無線機器１における処理の流れを示すフローチャートである。
【００６２】
図５に示すように、まず、所定（例えば１２７．５１０ＭＨｚ）の周波数の調整信号を無線機器１に入力し、第２局部発振器調整部１５１は、調整値を初期値に設定する（Ｓ１０１）。調整値の初期値は、例えば、１６進数で、「０ｘ００」から「０ｘＦＦ」までの中央値である「０ｘ８２」である。また、無線機器１に入力される調整信号の周波数は、例えば、１２７．５１０ＭＨｚであり、その信号強度は+６０ｄＢμ以上である。なお、調整信号は無変調の信号が好ましいため、シグナルジェネレータで生成した信号を入力すればよい。
【００６３】
次に、第１局部発振器調整部１５２は、第１局部信号が、調整信号の周波数の１つ前のチャンネルを受信するときの周波数となるように制御電圧を出力する（Ｓ１０２）。そして、ＲＳＳＩ取得部１１は、増幅器５７を通過した信号のＲＳＳＩ電圧を取得する（Ｓ１０３）。
【００６４】
次に、第１局部発振器調整部１５２は、第１局部信号が、調整信号の周波数の１つ後のチャンネルを受信するときの周波数となるように制御電圧を出力する（Ｓ１０４）。そして、ＲＳＳＩ取得部１１は、増幅器５７を通過した信号のＲＳＳＩ電圧を取得する（Ｓ１０５）。
【００６５】
そして、電圧差判定部１２は、ステップＳ１０３で取得したＲＳＳＩ電圧とステップＳ１０５で取得したＲＳＳＩ電圧との差分を求める（Ｓ１０６）。次に、第２局部発振器調整部１５１は、調整値を所定回数変更したか、または調整値を所定回数変更した結果、差分が大きくなったか否かを判定し（Ｓ１０７）、調整値を所定回数変更していない場合、または調整値を所定回数変更した結果、差分が大きくなっていない場合（Ｓ１０７でＮＯ）、ステップＳ１０８に進む。そして、差分が基準値以下であれば（Ｓ１０８でＹＥＳ）、調整値格納部１３はそのときの調整値を記憶部１６に記憶させる（Ｓ１０９）。一方、差分が基準値より大きければ（Ｓ１０８でＮＯ）、調整値を所定値（１０進数で１０）だけ減らして（Ｓ１２１）、ステップＳ１０２に進む。その後、ステップＳ１０６まで進み、所定回数（例えば、数回）、調整値を変更した結果、ＲＳＳＩ電圧の差分が大きくなっていく場合（Ｓ１０７でＹＥＳ）、ステップＳ１３１に進み、第２局部発振器調整部１５１は、調整値を初期値（ここでは、０ｘ８２）に戻す。そして、第２局部発振器調整部１５１は、調整値を変更する方向（つまり、増加させるか減少させるか）を変えて、ステップＳ１２１に進む。ステップＳ１２１では、第２局部発振器調整部１５１は、調整値を所定値（１０進数で１０）だけ増やしてステップＳ１０２に進む。
【００６６】
ステップＳ１０９で、ＲＳＳＩ電圧の差分が基準値以下のときの調整値を記憶部１６に記憶させた後、第２局部発振器調整部１５１は、調整値を所定値（１０進数で１０）ずつ変更してステップＳ１０２からＳ１０６までの処理と同様の処理を行い、ＲＳＳＩ電圧の差分を求める（Ｓ１１０）。そして、電圧差判定部１２は、ＲＳＳＩ電圧の差分が基準値以下であるか否かを判定し（Ｓ１１１）、基準値以下であれば（Ｓ１１１でＹＥＳ）、ステップＳ１０９に戻り、調整値格納部１３はそのときの調整値を記憶部１６に記憶させる。そして、調整装置１０は、ステップＳ１０９からＳ１１１までの処理をＲＳＳＩ電圧の差分が基準値より大きくなるまで繰り返す。（ステップＳ１０１からＳ１１１までの処理が調整実行ステップに対応する。）
その後、電圧差判定部１２が、ＲＳＳＩ電圧の差分が基準値より大きいと判定した場合（Ｓ１１１でＮＯ）、最終調整値決定部１４は、記憶部１６に記憶されている調整値のうちの中央の値を最終調整値として決定する（Ｓ１１２、周波数調整ステップ）。
【００６７】
その後、無線機器１は、決定した最終調整値に基づく第２局部信号を用いて入力信号の受信処理を行う。
【００６８】
次に、図６を参照して、調整値を増減させる様子について説明する。図６は、調整値を増減させる様子について説明するための図である。
【００６９】
図６に示すように、第２局部発振器調整部１５１は、調整値の初期値を「０ｘ８２」に設定する（図６の「１」。図５のステップＳ１０１に対応）。そして、第２局部発振器調整部１５１は、調整値が小さくなるように、１０進数で１０ずつ減らしていく（０ｘ７８→０ｘ６Ｅ→０ｘ６４→・・・）（図６の「２」）。この過程において、ＲＳＳＩ電圧の差分が基準値以下になった場合は、調整値格納部１３は、そのときの調整値を記憶部１６に記憶させる。
【００７０】
一方、調整値を徐々に小さくした結果として、ＲＳＳＩ電圧の差分が徐々に大きくなった場合（図６の「３」）、第２局部発振器調整部１５１は、調整値をいったん初期値に戻した上で（図６の「４」）、調整値が大きくなるように、１０進数で１０ずつ増やしていく（０ｘ８ｃ→０ｘ９６→０ｘＡ０→・・・）（図６の「５」）。
【００７１】
そして、調整値格納部１３は、ＲＳＳＩ電圧の差分が基準値以下の調整値（例えば、０ｘ９６、０ｘＡ０、０ｘＡＡ）を記憶部１６に記憶させる（図６の「６」）。そして、最終調整値決定部１４は、記憶部１６に記憶されている調整値のうちの中央値（０ｘＡ０）を最終調整値として決定する。
【００７２】
なお、上述した実施形態では、最初に調整値を減らすように徐々に変更し、その結果としてＲＳＳＩ電圧の差分が徐々に大きくなる場合、調整値を増やすように徐々に変更した。本発明はこの構成に限られるものではなく、逆に、最初に調整値を増やすように徐々に変更し、その結果としてＲＳＳＩ電圧の差分が徐々に大きくなる場合、調整値を減らすように徐々に変更する構成であってもよい。
【００７３】
〔変形例〕
調整値の増減方法は上述した実施形態に限られるものではなく、例えば、調整値の増減をＲＳＳＩ電圧の大きさに基づいて決定する構成であってもよい。具体的には、第２局部発振器調整部１５１は、ＲＳＳＩ取得部１１が取得した１つ前および１つ後のチャンネルのＲＳＳＩ電圧の値をＲＳＳＩ取得部１１から取得し、これらのＲＳＳＩ電圧うち、１つ後のチャンネルのＲＳＳＩ電圧が大きければ調整値を減らし、１つ前のチャンネルのＲＳＳＩ電圧が大きければ調整値を増やすように調整値を変更する構成であってもよい。すなわち、ＲＳＳＩ電圧が大きい方の信号の周波数側にＩＦフィルタ５５に入力される信号の周波数がシフトするように調整値を変更する構成であってもよい。
【００７４】
これにより、ＩＦフィルタ５５の中心周波数の調整時間を短縮することができる。
【００７５】
〔ソフトウェアによる実現例〕
調整装置１０の制御ブロック（特にＲＳＳＩ取得部１１、電圧差判定部１２、調整値格納部１３、最終調整値決定部１４、調整部１５（第２局部発振器調整部１５１、第１局部発振器調整部１５２））は、集積回路（ＩＣチップ）等に形成された論理回路（ハードウェア）によって実現してもよいし、ソフトウェアによって実現してもよい。
【００７６】
後者の場合、調整装置１０は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＤＳＰ（digital signal processor）やＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７８】
１  無線機器
１０  調整装置（周波数調整装置）
１１  ＲＳＳＩ取得部
１２  電圧差判定部
１３  調整値格納部
１４  最終調整値決定部（周波数調整部）
１５  調整部（調整実行部）
５５  ＩＦフィルタ（フィルタ）
【図１】
2019054462.tif 000003
【図２】
2019054462.tif 000004
【図３】
2019054462.tif 000005
【図４】
2019054462.tif 000006
【図５】
2019054462.tif 000007
【図６】
2019054462.tif 000008